(57)【特許請求の範囲】
【請求項１】
周壁を有する中空の筒状体と、
少なくとも対向する２つの側壁を有するペン先部と、
前記ペン先部に装着される少なくとも１つの位置決め部材と、
前記ペン先部の側壁と前記位置決め部材との間に挟持される弾性部材と、
を備えてなるタッチペンであって、
前記周壁の内面には、少なくとも２つの凹溝が設けられており、前記位置決め部材は、前記弾性部材の弾発力により前記凹溝に解除可能に係止され、
前記ペン先部は、前記筒状体に対して回転可能に装着され、前記ペン先部は、外力により回転しながら前記位置決め部材を連動してそれを異なる前記凹溝に係止させ、従って、前記ペン先部は、前記筒状体に対して異なる傾斜角度に位置決めされることを特徴とするタッチペン。
【請求項２】
前記周壁の一端は、第一開口端を有し、前記筒状体の軸方向には前記第一開口端に連通する回転許容開口が設けられ、前記回転許容開口は、前記ペン先部が傾斜して回転する際の空間を提供することを特徴とする請求項１に記載のタッチペン。
【請求項３】
前記ペン先部の側面には、前記位置決め部材及び前記弾性部材を装着するための取付凹所が設けられており、
前記取付凹所を形成する少なくとも１つの側壁には、切欠部が設けられ、前記位置決め部材は、前記側壁に当接する止め板及び前記止め板の片側から突出する第一突柱を含み、
前記第一突柱は、前記切欠部を通して前記凹溝に解除可能に係止されることを特徴とする請求項１又は２に記載のタッチペン。
【請求項４】
前記止め板の前記第一突柱に背離する他側には、第二突柱が設けられ、
前記弾性部材の一端は、前記第二突柱に被せて設置され且つ前記止め板に当止され、前記弾性部材の他端は、前記取付凹所の切欠部が設けられない側壁又は他方の位置決め部材の止め板に当止されることを特徴とする請求項３に記載のタッチペン。
【請求項５】
前記取付凹所に被せられるカバーボード及び前記カバーボードの両端から折り曲げられて延在する２つの係止片を有する蓋部をさらに備え、
前記取付凹所を形成する２つの端壁にはそれぞれ第一リブが設けられており、各係止片の端縁には第二リブが設けられ、前記第一リブと前記第二リブとは互いに係合することを特徴とする請求項３又は４に記載のタッチペン。
【請求項６】
前記ペン先部の一端には、入力部が設けられ、前記ペン先部の他端は、１つの回転軸を介して前記筒状体に回転可能に枢着され、
前記凹溝の軌道は、前記回転軸を中心とする円弧であることを特徴とする請求項１に記載のタッチペン。
【発明の詳細な説明】
【技術分野】
【０００１】
本発明は、タッチペンに関し、特に携帯式電子装置のタッチパネルに用いられるタッチペンに関するものである。
【背景技術】
【０００２】
現在市販されている携帯電話、個人用携帯情報端末（ＰＤＡ）及びパソコン等の電子装置の殆どは、タッチパネルを備えている。これらの電子装置は、一般的にタッチペンを入力手段とする。
【発明の概要】
【発明が解決しようとする課題】
【０００３】
しかし、従来のタッチペンにおいて、ペン先部とペン軸部とは、互いに対して回転せずに連結するため、ユーザーの好みによってタッチペンの使用角度を調整することできないという欠点がある。
【０００４】
本発明は、上記の問題点に鑑みてなされたものであり、使用する時にペン先部の傾斜角度を調整できるタッチペンを提供することを目的とする。
【課題を解決するための手段】
【０００５】
前記課題を解決するために、本発明に係るタッチペンは、周壁を有する中空の筒状体と、少なくとも対向する２つの側壁を有するペン先部と、前記ペン先部に装着される少なくとも１つの位置決め部材と、前記ペン先部の側壁と前記位置決め部材との間に挟持される弾性部材と、を備えてなる。前記周壁の内面には少なくとも２つの凹溝が設けられており、前記位置決め部材は、前記弾性部材の弾発力により前記凹溝に解除可能に係止され、前記ペン先部は、前記筒状体に対して回転可能に装着され、前記ペン先部は、外力により回転しながら前記位置決め部材を連動してそれを異なる凹溝に係止させ、従って、前記ペン先部は前記筒状体に対して異なる傾斜角度に位置決めされる。
【発明の効果】
【０００６】
従来の技術に比べて、本発明に係るタッチペンはユーザーの入力スタイルに基づいて、そのペン先部とタッチパネルとの傾斜角度を調整できるので、入力操作がもっとスムーズになる。初期状態では、前記ペン先部上の位置決め部材は、筒状体の１つの凹溝に係止され、前記筆先部は所定方向へ配向される。前記タッチペンを使用する場合、前記筆先部は、外力により元の位置から押圧されると同時に、前記位置決め部材は前記凹溝から離脱して隣の凹溝に滑り込んで係止される。このようにして、前記位置決め部材と前記凹溝との係合関係を切り替えることにより、前記筆先部の前記筒状体に対する傾斜角度を調整して、ユーザーに適する操作角度を獲得する。
【図面の簡単な説明】
【０００７】
【図１】本発明に係るタッチペンの分解図である。
【図２】図１に示したタッチペンの組立図である。
【図３】図２に示したＩＶ−ＩＶ線に沿うタッチペンの断面図である。
【図４】図２に示したＶ−Ｖ線に沿うタッチペンの断面図である。
【発明を実施するための形態】
【０００８】
図１に示したように、本発明に係るタッチペン１００は、スリーブ１０と、前記スリーブ１０内に装着される筒状体２０と、前記スリーブ１０に対して回転可能に設けられるペン先部３０と、前記スリーブ１０に装着され且つそれぞれ前記筒状体２０に弾性的に当止する２つの位置決め部材４０と、２つの前記位置決め部材４０間に挟持される弾性部材５０と、前記筒状体２０に係合される蓋部６０と、前記筒状体２０を前記スリーブ１０に固定する回転軸７０と、を備える。前記ペン先部３０の一端は、前記回転軸７０に回転可能に枢着される。
【０００９】
前記スリーブ１０には、軸方向に沿い且つ前記筒状体２０を収納するための中空部１２が設けられている。前記スリーブ１０の周壁には、２つの第一軸穴１４が対向するように設けられている。前記回転軸７０は、前記第一軸穴１４を介して前記スリーブ１０を貫き、且つ前記回転軸７０の両端は、それぞれ前記第一軸穴１４に係止される。
【００１０】
前記筒状体２０は、両端が互いに貫通され、筒壁２２及びそれぞれ前記筒壁２２の両端に位置する第一開口端２４、第二開口端２６を備える。前記筒壁２２には、軸方向に沿い、前記第一開口端２４に近接し且つ前記第一開口端２４に連通する回転許容開口２２２が設けられている。前記回転許容開口２２２は、前記ペン先部３０が傾斜する時の回転空間を提供する。前記筒壁２２には、直径方向に沿い且つ前記回転軸７０を貫通させるための第二軸穴２２４が設けられ、前記第二軸穴２２４は、前記第二開口端２６近くに位置する。前記回転許容開口２２２の左右両側の筒壁２２には、それぞれ前記位置決め部材４０を係止するための係止部２２２２が設けられている。各係止部２２２２は、三つの凹溝２２２４を含み、前記凹溝２２２４の軌道は、前記第二軸穴２２４又は前記回転軸７０を中心とする円弧Ｌである。
【００１１】
前記ペン先部３０は、ロッド部３２及び前記ロッド部３２の一端に形成されている入力部３４を備える。前記ロッド部３２は、前記筒状体２０内に部分的に収納されて前記筒状体２０と連結される。前記入力部３４は、円盤状を呈し、前記ロッド部３２に鈍角を成して連結する。前記ロッド部３２には、取付凹所３２２が設けられ、且つ前記ロッド部３２の前記入力部３４から遠ざかる一端には、第三軸穴３２４が設けられている。前記取付凹所３２２は、前記ロッド部３２の１つの側面から凹んで形成され、前記ロッド部３２の対向する２つの側壁３２６、対向する２つの端壁３２７及び１つの底壁３２８から取り囲んで形成される。各側壁３２６には、切欠部３２６２及びガイド凹溝３２６４が設けられている。前記切欠部３２６２は、対称的に設けられ、前記ガイド凹溝３２６４は、前記切欠部３２６２の開口部に設けられて、前記位置決め部材４０を前記切欠部３２６２に嵌入する際に前記位置決め部材４０をガイドする役割を果している。各端壁３２７の他方の端壁３２７に向ける表面には、前記蓋部６０に組み合せる第一リブ３２７２が突設されている。前記第三軸穴３２４は、前記回転軸７０を装着することに用いられ、前記ペン先部３０は前記回転軸７０に対して回転することができる。
【００１２】
２つの前記位置決め部材４０は、それぞれ前記取付凹所３２２内に装着される。前記位置決め部材４０は、止め板４２及び前記止め板４２の２つの端面から逆方向に向ってそれぞれ延在する第一突柱４４、第二突柱４６を備える。各位置決め部材４０が前記取付凹所３２２に装着された後、前記止め板４２が前記ペン先部３０の側壁３２６に当止されて、前記位置決め部材４０が前記取付凹所３２２から脱出することを防止する。前記第一突柱４４は、前記切欠部３２６２を通して前記筒状体２０の何れか１つの凹溝２２２４に解除可能に係止される。本実施形態において、前記弾性部材５０は、螺旋状のスプリングであり、２つの前記位置決め部材４０の間に挟持され、且つ前記弾性部材５０の両端は、それぞれの第二突柱４６に被せて収納する。
【００１３】
前記蓋部６０は、カバーボード６２及び前記カバーボード６２の両端から折り曲げられて向き合うように延在する２つの係止片６４を備える。各係止片６４の他方の係止片６４に対して背離する表面の端縁には、それぞれ第二リブ６４２が突設されている。前記第二リブ６４２と前記ペン先部３０の第一リブ３２７２とは互いに係合して、前記蓋部６０を前記ペン先部３０に装着させる。前記蓋部６０を前記ペン先部３０に装着した後、前記カバーボード６２が前記弾性部材５０及び前記位置決め部材４０に当止されて、前記弾性部材５０及び前記位置決め部材４０が前記取付凹所３２２内に安定的に留められる。
【００１４】
以下、図１乃至図４を参照しながら、本発明のタッチペン１００の組立てステップについて詳細に説明する。
【００１５】
まず、前記弾性部材５０の両端をそれぞれ前記位置決め部材４０の第二突柱４６に被せて設置してから、２つの前記位置決め部材４０を互いに向き合うように押圧して、前記弾性部材５０を圧縮してそれに弾性力を蓄積させる。続いて、前記位置決め部材４０の第一突柱４４をそれぞれ前記ガイド凹溝３２６４から前記切欠部３２６２内に押し込んで、前記弾性部材５０を前記取付凹所３２２に収納させる。続いて、外力を除去すると、各位置決め部材４０は、前記弾性部材５０の反発力により、互いに離れるように移動して前記止め板４２を前記ペン先部３０の側壁３２６に当止する。この際、前記第一突柱４４は、前記側壁３２６を貫通する。
【００１６】
次に、前記蓋部６０を前記取付凹所３２２に係合する。前記蓋部６０の第二リブ６４２が前記ペン先部３０の第一リブ３２７２に当接されると、前記第二リブ６４２が所属する前記係止片６４は、前記第一リブ３２７２に押し退けて湾曲する。前記第二リブ６４２が前記第一リブ３２７２を乗り越えると、前記係止片６４は元の形状に回復しながら前記第二リブ６４２を連動して、前記第二リブ６４２を前記第一リブ３２７２に係合させる。このようにして、前記蓋部６０は、前記ペン先部３０に嵌め込まれる。
【００１７】
次に、前記ペン先部３０の第三軸穴３２４を有する一端を、前記第一開口端２４を通して前記筒状体２０に挿入すると、前記筒状体２０の筒壁２２は前記側壁３２６から突出する前記第一突柱４４を押圧して、２つの前記位置決め部材４０を互いに接近するように移動させて、前記弾性部材５０を圧縮する。前記位置決め部材４０の第一突柱４４が前記筒状体２０の凹溝２２２４内に滑り込むと、前記弾性部材５０は元の形状に回復する。この際、前記ペン先部３０の第三軸穴３２４は、前記筒状体２０の第二軸穴２２４と同じ軸上に位置する。
【００１８】
最後に、前記ペン先部３０及び前記筒状体２０を前記スリーブ１０内に挿入すると共に、前記筒状体２０の第二軸穴２２４と前記スリーブ１０の第一軸穴１４との位置を合せる。その後、前記第一軸穴１４、前記第二軸穴２２４及び前記第三軸穴３２４に回転軸７０を挿入して、前記筒状体２０を前記スリーブ１０内に取り付けて固定する。この際、前記ペン先部３０は、前記回転軸７０の周りを回動可能に前記スリーブ１０に装着される。
【００１９】
図４を示したように、前記タッチペン１００を使用する場合、前記ペン先部３０は外力により前記回転軸７０の周りで一定の角度傾斜しながら、前記位置決め部材４０の第一突柱４４を前記筒状体２０の凹溝２２２４から離脱させる。従って、２つの前記位置決め部材４０は互いに向き合って押圧されて、前記弾性部材５０を圧縮する。前記第一突柱４４が次の凹溝２２２４内に滑り込められると、前記弾性部材５０は元の形状に回復し、前記ペン先部３０は、前記スリーブ１０に対して別の傾斜角度に維持される。即ち、前記ペン先部３０が外力を受けると、前記位置決め部材４０の第一突柱４４が異なる凹溝２２２４内に係止され、前記ペン先部３０の前記スリーブ１０に対する傾斜角度が変えられる。
【００２０】
なお、前記筒状体２０の凹溝２２２４の数量は、３つに限定されるものではなく、ユーザーの操作スタイルに応じて、２つ或いは複数の凹溝２２２４を設けて、前記ペン先部３０を前記スリーブ１０に対して所望の傾斜角度に位置決めすることができる。
【００２１】
なお、前記スリーブ１０、前記筒状体２０及び前記ペン先部３０は、すべて導電材質により製作される。この場合、前記スリーブ１０及び前記ペン先部３０が通電される時、本発明のタッチペン１００は、静電容量式タッチパネルに適用する。
【００２２】
なお、前記位置決め部材４０を１つだけ設置してもよい。それ相応に、前記筒状体２０の片側の周壁２２のみに凹溝２２２４を設けると共に、前記ペン先部３０の片側の側壁３２６のみに切欠部３２６２を設ける。この場合、前記弾性部材５０の一端は、前記取付凹所３２２の片側の側壁３２６に当止され、前記弾性部材５０の他端は、前記位置決め部材４０の止め板４２に当止される。
【００２３】
なお、前記筒状体２０を省略してもよい。即ち、前記筒状体２０の側壁の係止部２２２２を前記スリーブ１０の内周壁に直接に設けてもよい。
【００２４】
なお、前記筒状体２０の長さを前記スリーブ１０の長さと同じように設計すれば、前記筒状体２０は、前記スリーブ１０を代替して使用されることができる。
【００２５】
本発明のタッチペン１００は、ユーザーの入力スタイルに基づいて、そのペン先部３０とタッチパネルとの傾斜角度を調整できるので、入力操作がもっとスムーズになる。初期状態では、前記ペン先部３０上の位置決め部材４０は、前記筒状体２０の１つの凹溝２２２４に係止され、前記ペン先部３０は所定方向へ配向される。前記タッチペン１００を使用する場合、前記ペン先部３０は外力により元の位置から押圧されると同時に、前記ペン先部３０上の位置決め部材４０は前記凹溝２２２４から脱出して隣の凹溝２２２４に滑り込んで係止される。このようにして、前記位置決め部材４０と前記凹溝２２２４との係合関係を切り替えることにより、前記ペン先部３０の前記筒状体２０に対する傾斜角度を調整して、ユーザーに適する操作角度を獲得する。
【００２６】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることはいうまでもない。
【符号の説明】
【００２７】
１０  スリーブ
１２  周壁
１４  第一軸穴
２０  筒状体
２２  筒壁
２４  第一開口端
２６  第二開口端
３０  ペン先部
３２  ロッド部
３４  入力部
４０  位置決め部材
４２  止め板
４４  第一突柱
４６  第二突柱
５０  弾性部材
６０  蓋部
６２  カバーボード
６４  係止片
７０  回転軸
１００  タッチペン
２２２  回転許容開口
２２４  第二軸穴
３２２  取付凹所
３２４  第三軸穴
３２６  側壁
３２７  端壁
３２８  底壁
６４２  第二リブ
２２２２  係止部
２２２４  凹溝
３２６２  切欠部
３２６４  ガイド凹溝
３２７２  第一リブ
【図１】
0005473876.tif 000002
【図２】
0005473876.tif 000003
【図３】
0005473876.tif 000004
【図４】
0005473876.tif 000005